(57)【特許請求の範囲】
【請求項１】
走査線と、
第１、第２および第３の信号線と、
前記走査線と前記第１の信号線との交差に対応して配置された第１の画素と、
前記走査線と前記第２の信号線との交差に対応して配置された第２の画素と、
前記走査線と前記第３の信号線との交差に対応して配置された第３の画素と、
プリチャージ期間と前記プリチャージ期間後の書き込み期間を含む選択期間に前記走査線を選択する走査線駆動部と、
前記プリチャージ期間に前記第１、第２および第３の信号線にプリチャージ電位を供給する第１の供給部と、
前記書き込み期間のうちの第１の書き込み期間に前記第１の信号線に第１の電位を供給し、前記書き込み期間のうちの前記第１の書き込み期間の後の第２の書き込み期間に前記第２の信号線に第２の電位を供給し、前記書き込み期間のうちの前記第２の書き込み期間の後の第３の書き込み期間に前記第３の信号線に第３の電位を供給する第２の供給部とを備え、
前記プリチャージ電位と前記第１の電位とが基準電位に対して異なる極性の電位である場合の前記第１の書き込み期間は、前記第２の書き込み期間と前記第３の書き込み期間よりも長く、前記プリチャージ電位と前記第１の電位とが基準電位に対して同じ極性の電位である場合の前記第１の書き込み期間よりも長い
ことを特徴とする電気光学装置。
【請求項２】
前記プリチャージ電位と前記第１の電位とが基準電位に対して同じ極性の電位である場合の前記第１の書き込み期間は、前記第２の書き込み期間と同じ長さである
ことを特徴とする請求項１に記載の電気光学装置。
【請求項３】
請求項１または請求項２に記載の電気光学装置を具備する電子機器。
【発明の詳細な説明】
【技術分野】
【０００１】
本発明は、液晶素子等の電気光学素子を利用して画像を表示する技術に関連する。
【背景技術】
【０００２】
複数の走査線と複数の信号線との各交差に対応して画素回路が行列状に配列された電気光学装置が従来から提案されている。特許文献１には、複数の信号線を所定本毎に区分した複数の集合（以下「配線群」という）の各々について、当該配線群の各信号線に所定のプリチャージ電位を一斉に供給してから、各画素回路の指定階調に応じた階調電位を当該配線群の各信号線に対して書込期間毎に時分割で供給する構成が開示されている。
【先行技術文献】
【特許文献】
【０００３】
【特許文献１】特開２００９−１１６２４７号公報
【発明の概要】
【発明が解決しようとする課題】
【０００４】
しかし、特許文献１の構成では、信号線の電位がプリチャージ電位から目標の階調電位まで完全には到達しない場合（以下「書込不足」という）が発生し得る。各書込期間の時間長を充分に確保すれば書込不足は解消される。しかし、動画ボケを防止する倍速駆動や視差画像を時分割で表示する立体視表示の実現、あるいは表示画像の高精細化の実現のためには、各画素回路に対する階調電位の供給を高速化する必要があり、書込期間の時間長を充分に確保することは困難である。また、駆動能力が高い駆動回路を採用すれば、信号線の電位を短時間で目標の階調電位に到達させることも可能ではあるが、回路規模や消費電力が増大するという問題が発生する。以上の事情を考慮して、本発明は、回路規模や消費電力を抑制しながら各画素回路に対する階調電位の書込不足を防止することを目的とする。
【課題を解決するための手段】
【０００５】
以上の課題を解決するために、本発明の電気光学装置は、複数の走査線と複数の信号線との各交差に対応して配置されて走査線の選択時の信号線の電位に応じた階調を表示する複数の画素回路と、書込期間を含む選択期間毎に複数の走査線の各々を順次に選択する走査線駆動回路と、書込期間の開始前のプリチャージ期間にてプリチャージ電位に設定されるとともに書込期間にて時分割で各画素回路の指定階調に応じた階調電位に設定される制御信号を制御線に供給する信号供給回路と、複数の信号線の各々と制御線との接続を制御する複数のスイッチと、複数のスイッチの各々を、プリチャージ期間にて複数のスイッチを一斉にオン状態に制御し、書込期間内の複数の単位期間の各々にて順次にオン状態に制御する制御回路とを具備し、制御回路は、複数の単位期間のうちプリチャージ期間の経過後の最初の単位期間（例えば単位期間Ｕ[1]）を他の書込期間と比較して長い時間（例えば時間長ｔa）に設定する。本発明の電気光学装置は、表示装置として各種の電子機器（例えば携帯電話機や投射型表示装置）に搭載され得る。
【０００６】
以上の構成においては、プリチャージ期間の直後の単位期間が長い時間に設定されるから、プリチャージ電位と階調電位との差異が大きい場合でも、信号線の電位を確実にプリチャージ電位から階調電位に変化させる（すなわち書込不足を抑制する）ことが可能である。また、信号供給回路や複数のスイッチの駆動能力を過度に強化する必要はないから、回路規模や消費電力を抑制しながら書込不足を抑制できるという利点がある。
【０００７】
本発明の好適な態様において、信号供給回路は、制御信号のプリチャージ電位を基準電位に対して第１極性の電位に設定し、制御信号の階調電位を、第１選択期間内（例えば垂直走査期間Ｖ1内の各選択期間Ｈ内）の書込期間にて第１極性の電位に設定するともに第２選択期間内（例えば垂直走査期間Ｖ2内の各選択期間Ｈ内）の書込期間にて第１極性とは逆極性の電位に設定し、制御回路は、第１選択期間内の書込期間では複数の単位期間を相等しい時間長（例えば時間長ｔb）に設定し、第２選択期間内の書込期間では複数の単位期間のうち最初の単位期間を他の書込期間と比較して長い時間（例えば時間長ｔa）に設定する。以上の構成においては、信号線の電位がプリチャージ電位から基準電位を跨いで階調電位に変化する場合（すなわち信号線の電位の変化が大きい場合）には、最初の単位期間が長い時間長に設定されることで書込不足が抑制され、プリチャージ電位と階調電位とが基準電位に対して同極性である場合には、複数の単位期間が相等しい時間長に設定されることで例えば単位期間の時間長の相違に起因した表示斑を防止することが可能である。
【０００８】
本発明の電気光学装置は、複数の信号線を所定本毎に複数の配線群に区分して配線群毎に時分割で階調電位を供給する構成に対して格別に好適である。以上の観点に係る電気光学装置は、複数の走査線と複数の信号線との各交差に対応して配置されて走査線の選択時の信号線の電位に応じた階調を表示する複数の画素回路と、書込期間を含む選択期間毎に複数の走査線の各々を順次に選択する走査線駆動回路と、書込期間の開始前のプリチャージ期間にてプリチャージ電位に設定されるとともに書込期間にて時分割で各画素回路の指定階調に応じた階調電位に設定される制御信号を、複数の信号線を区分した各配線群に対応する制御線に供給する信号供給回路と、各配線群に対応する複数の分配回路であって、当該配線群の各信号線と当該配線群に対応する制御線との接続を制御する複数のスイッチを各々が含む複数の分配回路と、各分配回路の複数のスイッチを、プリチャージ期間にて一斉にオン状態に制御し、書込期間内の複数の単位期間の各々にて順次にオン状態に制御する制御回路とを具備し、制御回路は、複数の単位期間のうちプリチャージ期間の経過後の最初の単位期間を他の書込期間と比較して長い時間に設定する。
【図面の簡単な説明】
【０００９】
【図１】本発明の第１実施形態に係る電気光学装置のブロック図である。
【図２】画素回路の回路図である。
【図３】電気光学装置の動作の説明図である。
【図４】信号線駆動回路のブロック図である。
【図５】第２実施形態に係る電気光学装置の動作の説明図である。
【図６】電子機器の形態（パーソナルコンピュータ）を示す斜視図である。
【図７】電子機器の形態（携帯電話機）を示す斜視図である。
【図８】電子機器の形態（投射型表示装置）を示す斜視図である。
【発明を実施するための形態】
【００１０】
＜Ａ：第１実施形態＞
図１は、本発明の第１実施形態に係る電気光学装置１００のブロック図である。電気光学装置１００は、画像を表示する表示機器として様々な電子機器に搭載される液晶装置である。図１に示すように、電気光学装置１００は、複数の画素回路ＰIXが平面状に配列された画素部１０と、各画素回路ＰIXを駆動する駆動回路２０と、駆動回路２０を制御する制御回路３０とを具備する。駆動回路２０は、走査線駆動回路２２と信号線駆動回路２４とを含んで構成される。
【００１１】
画素部１０には、相互に交差するＭ本の走査線１２とＮ本の信号線１４とが形成される（Ｍ，Ｎは自然数）。画素部１０内のＮ本の信号線１４は、相隣接するＫ本（Ｋは２以上の自然数）を単位としてＪ個の配線群（ブロック）Ｂ[1]〜Ｂ[J]に区分される（Ｊ＝Ｎ/Ｋ）。複数の画素回路ＰIXは、各走査線１２と各信号線１４との交差に対応して配置されて縦Ｍ行×横Ｎ列の行列状に配列する。
【００１２】
図２は、各画素回路ＰIXの回路図である。図２に示すように、各画素回路ＰIXは、液晶素子４２と選択スイッチ４４とを含んで構成される。液晶素子４２は、相対向する画素電極４２１および共通電極４２３と両電極間の液晶４２５とで構成された電気光学素子である。画素電極４２１と共通電極４２３との間の印加電圧に応じて液晶４２５の透過率が変化する。なお、以下の説明では便宜的に、画素電極４２１が共通電極４２３と比較して高電位である場合の液晶素子４２の印加電圧を正極性と表記し、画素電極４２１が低電位である場合の印加電圧を負極性と表記する。
【００１３】
選択スイッチ４４は、走査線１２にゲートが接続されたＮチャネル型の薄膜トランジスターで構成され、液晶素子４２（画素電極４２１）と信号線１４との間に介在して両者の電気的な接続（導通／非導通）を制御する。したがって、画素回路ＰIX（液晶素子４２）は、選択スイッチ４４がオン状態に制御されたときの信号線１４の電位（後述の階調電位ＶG）に応じた階調を表示する。なお、液晶素子４２に対して並列に接続される補助容量等の図示は省略されている。
【００１４】
図１の制御回路３０は、同期信号を含む各種の信号の出力で駆動回路２０を制御する。例えば、制御回路３０は、各画素回路ＰIXの階調を時分割で指定する画像信号ＶIDを信号線駆動回路２４に供給する。また、各配線群Ｂ[j]（ｊ＝１〜Ｊ）内の信号線１４の本数に相当するＫ系統の選択信号ＳEL[1]〜ＳEL[K]や、液晶素子４２の印加電圧の極性を指定する極性信号ＰOLが制御回路３０から信号線駆動回路２４に供給される。図３に示すように、制御回路３０は、液晶素子４２の印加電圧の極性が垂直走査期間Ｖ（Ｖ1，Ｖ2）毎に反転するように極性信号ＰOLを生成する（フレーム反転）。ただし、極性反転の周期は任意に変更される。
【００１５】
図１の走査線駆動回路２２は、各走査線１２に走査信号Ｇ[1]〜Ｇ[M]を供給することでＭ本の走査線１２の各々を順次に選択する。図３に示すように、第ｍ行の走査線１２に供給される走査信号Ｇ[m]は、各垂直走査期間Ｖ内のＭ個の選択期間（水平走査期間）Ｈのうち第ｍ番目の選択期間Ｈにてハイレベル（走査線１２の選択を意味する電位）に設定される。走査線駆動回路２２が第ｍ行の走査線１２を選択すると、第ｍ行のＮ個の画素回路ＰIXの各選択スイッチ４４がオン状態に遷移する。
【００１６】
図１の信号線駆動回路２４は、走査線駆動回路２２による各走査線１２の選択に同期してＮ本の信号線１４の各々の電位を制御する。図４は、信号線駆動回路２４のブロック図である。図４に示すように、信号線駆動回路２４は、信号供給回路５２と信号分配回路５４とを含んで構成される。信号供給回路５２と信号分配回路５４とは、相異なる配線群Ｂ[j]に対応するＪ本の制御線１６で相互に接続される。信号供給回路５２は、集積回路（チップ）の形態で実装され、走査線駆動回路２２および信号分配回路５４は、画素回路ＰIXとともに基板の表面に形成された薄膜トランジスターで構成される。ただし、走査線駆動回路２２および信号線駆動回路２４の実装の形態は任意に変更される。
【００１７】
図４の信号供給回路５２は、相異なる配線群Ｂ[j]に対応するＪ系統の制御信号Ｃ[1]〜Ｃ[J]を各制御線１６に並列に供給する。図３に示すように、走査線駆動回路２２が走査線１２を選択する各選択期間Ｈはプリチャージ期間ＴPREと書込期間ＴWRTとを含んで構成される。信号供給回路５２は、各選択期間Ｈのプリチャージ期間ＴPREにて制御信号Ｃ[1]〜Ｃ[J]を所定のプリチャージ電位ＶPREに設定する。プリチャージ電位ＶPREは、所定の基準電位ＶREF（例えば制御信号Ｃ[j]の振幅中心となる電位）に対して負極性の電位に設定される。
【００１８】
また、信号供給回路５２は、第ｍ行の走査線１２が選択される選択期間Ｈ内の書込期間ＴWRTにおいて、制御信号Ｃ[j]を、第ｍ行の走査線１２と配線群Ｂ[j]のＫ本の信号線１４との各交差に対応するＫ個の画素回路ＰIXの指定階調に応じた階調電位ＶGに時分割で設定する。各画素回路ＰIXの指定階調は、制御回路３０から供給される画像信号ＶIDで規定される。基準電位ＶREFに対する階調電位ＶGの極性は極性信号ＰOLに応じて設定される。すなわち、信号供給回路５２は、図３に示すように、極性信号ＰOLが負極性（−）を指示する垂直走査期間Ｖ1内の各選択期間Ｈの書込期間ＴWRTでは、基準電位ＶREFに対して負極性の範囲で指定階調に応じた階調電位ＶGを設定し、極性信号ＰOLが正極性（＋）を指示する垂直走査期間Ｖ2内の各選択期間Ｈの書込期間ＴWRTでは、基準電位ＶREFに対して正極性の範囲で指定階調に応じた階調電位ＶGを設定する。
【００１９】
図４に示すように、信号分配回路５４は、相異なる配線群Ｂ[j]に対応するＪ個の分配回路５６[1]〜５６[J]を具備する。第ｊ番目の分配回路５６[j]は、第ｊ番目の制御線１６に供給される制御信号Ｃ[j]を配線群Ｂ[j]のＫ本の信号線１４の各々に分配する回路（デマルチプレクサ）であり、配線群Ｂ[j]の相異なる信号線１４に対応するＫ個のスイッチ５８[1]〜５８[K]を含んで構成される。分配回路５６[j]の第ｋ番目のスイッチ５８[k]は、配線群Ｂ[j]のＫ本の信号線１４のうち第ｋ列目の信号線１４とＪ本の制御線１６のうち第ｊ番目の制御線１６との間に介在して両者間の電気的な接続（導通／非導通）を制御する。制御回路３０が生成した各選択信号ＳEL[k]は、Ｊ個の分配回路５６[1]〜５６[J]の各々における第ｋ番目のスイッチ５８[k]（信号分配回路５４内で合計Ｊ個のスイッチ５８[k]）のゲートに並列に供給される。
【００２０】
図３に示すように、制御回路３０は、各選択期間Ｈ内のプリチャージ期間ＴPREにてＫ系統の選択信号ＳEL[1]〜ＳEL[K]を一斉にアクティブレベル（スイッチ５８[k]をオン状態に遷移させる電位）に設定する。したがって、各選択期間Ｈ内のプリチャージ期間ＴPREでは、信号分配回路５４内の全部のスイッチ５８[k]がオン状態に遷移し、Ｎ本の信号線１４の各々（さらには各画素回路ＰIX内の画素電極４２１）にプリチャージ電位ＶPREが供給される。以上のように各画素回路ＰIXに対する階調電位ＶGの供給前（書込前）に各信号線１４の電位がプリチャージ電位ＶPREに初期化されるから、表示画像の階調斑（縦クロストーク）を防止することが可能である。
【００２１】
他方、各選択期間Ｈ内の書込期間ＴWRTにおいて、制御回路３０は、Ｋ系統の選択信号ＳEL[1]〜ＳEL[K]をＫ個の単位期間Ｕ[1]〜Ｕ[K]にて順番にアクティブレベルに設定する。したがって、第ｍ行の走査線１２が選択される選択期間Ｈ内の単位期間Ｕ[k]では、分配回路５６[1]〜５６[J]の各々におけるＫ個のスイッチ５８[1]〜５８[K]のうち第ｋ番目のスイッチ５８[k]（信号分配回路５４内で合計Ｊ個のスイッチ５８[k]）がオン状態に遷移し、各配線群Ｂ[j]の第ｋ列目の信号線１４に制御信号Ｃ[j]の階調電位ＶGが供給される。すなわち、書込期間ＴWRTでは、Ｊ個の配線群Ｂ[1]〜Ｂ[J]の各々において当該配線群Ｂ[j]内のＫ本の信号線１４に階調電位ＶGが時分割で供給される。第ｍ番目の選択期間Ｈ内の単位期間Ｕ[k]において、階調電位ＶGは、第ｍ行の走査線１２と配線群Ｂ[j]の第ｋ列目の信号線１４との交差に対応する画素回路ＰIXの指定階調に応じて設定される。
【００２２】
図３に示すように、制御回路３０は、書込期間ＴWRT内のＫ個の単位期間Ｕ[1]〜Ｕ[K]のうちプリチャージ期間ＴPREの経過後の最初の単位期間Ｕ[1]の時間長（選択信号ＳEL[1]のパルス幅）ｔaを、他の単位期間Ｕ[2]〜Ｕ[K]の時間長（選択信号ＳEL[2]〜ＳEL[K]のパルス幅）ｔbと比較して長い時間に設定する。すなわち、プリチャージ期間ＴPREの直後の単位期間Ｕ[1]では他の単位期間Ｕ[2]〜Ｕ[K]と比較して長時間にわたって階調電位ＶGが信号線１４（各配線群Ｂ[j]内の第１列目の信号線１４）に供給される。
【００２３】
以上に説明したように、プリチャージ期間ＴPREの直後の単位期間Ｕ[1]には長い時間長ｔaが確保されるから、各配線群Ｂ[j]の第１列目の信号線１４に供給される階調電位ＶGとプリチャージ電位ＶPREとの差異が大きい場合でも、信号線１４の電位を単位期間Ｕ[1]内にてプリチャージ電位ＶPREから階調電位ＶGに確実に変化させる（すなわち書込不足を抑制する）ことが可能である。他方、単位期間Ｕ[2]〜Ｕ[K]は単位期間Ｕ[1]と比較して短い時間ｔbに設定されるから、全部の単位期間Ｕ[1]〜Ｕ[K]を長い時間ｔaに設定した場合と比較して各書込期間ＴWRTの時間長が短縮される。したがって、各画素回路ＰIXに対する階調電位ＶGの供給（書込動作）が高速化されるという利点もある。また、単位期間Ｕ[1]を時間長ｔaに設定することで書込不足が抑制されるから、信号線駆動回路２４（信号分配回路５４）の駆動能力を過度に強化する必要はない。したがって、回路規模や消費電力を抑制しながら書込不足が抑制される。
【００２４】
＜Ｂ：第２実施形態＞
次に、本発明の第２実施形態を説明する。なお、以下に例示する各態様において作用や機能が第１実施形態と同等である要素については、以上の説明で参照した符号を流用して各々の詳細な説明を適宜に省略する。
【００２５】
図５は、第２実施形態の電気光学装置１００の動作の説明図である。図５に示すように、プリチャージ期間ＴPREの経過後における信号線１４の電位の変化量δ（ＶPRE→ＶG）は、書込期間ＴWRTでの階調電位ＶGとプリチャージ電位ＶPREとが基準電位ＶREFに対して逆極性である場合（垂直走査期間Ｖ2）に、両電位が同極性である場合（垂直走査期間Ｖ1）と比較して顕著となる。図５に示すように、第２実施形態でも第１実施形態と同様に、プリチャージ電位ＶPREは基準電位ＶREFに対して負極性の電位に設定される。したがって、階調電位ＶGが基準電位ＶREFに対して正極性の電位に設定される垂直走査期間Ｖ2（液晶素子４２に正極性の電圧を印加する場合）にて階調電位ＶGの書込不足が発生し易い。換言すると、階調電位ＶGがプリチャージ電位ＶPREと同極性に設定される垂直走査期間Ｖ1では、階調電位ＶGの書込不足は顕在化しない。
【００２６】
そこで、極性信号ＰOLが正極性を指示する垂直走査期間Ｖ2では、第１実施形態と同様に、各選択期間Ｈ内の書込期間ＴWRTの最初の単位期間Ｕ[1]を他の単位期間Ｕ[2]〜Ｕ[K]と比較して長い時間長ｔaに設定し、極性信号ＰOLが負極性を指示する垂直走査期間Ｖ1では、各選択期間Ｈ内の書込期間ＴWRTの全部（Ｋ個）の単位期間Ｕ[1]〜Ｕ[K]を相等しい時間長ｔbに設定する。書込期間ＴWRTの時間長は垂直走査期間Ｖ1と垂直走査期間Ｖ2とで共通する。ただし、垂直走査期間Ｖ1内の各書込期間ＴWRT（選択期間Ｈ）を、単位期間Ｕ[1]を時間長ｔaに設定する必要がない分だけ、垂直走査期間Ｖ2内の各書込期間ＴWRTと比較して短い時間に設定した構成も採用され得る。
【００２７】
第２実施形態においても、垂直走査期間Ｖ2では第１実施形態と同様の効果が実現される。また、第２実施形態では、垂直走査期間Ｖ1内の各書込期間ＴWRTにおいてＫ個の単位期間Ｕ[1]〜Ｕ[K]が相等しい時間長ｔbに設定されるから、例えば各単位期間Ｕ[k]の時間長の相違に起因した表示斑の発生の可能性が解消されるという利点もある。
【００２８】
＜Ｃ：変形例＞
以上の各形態は多様に変形され得る。具体的な変形の態様を以下に例示する。以下の例示から任意に選択された２以上の態様は適宜に併合され得る。
【００２９】
（１）変形例１  
プリチャージ電位ＶPREは適宜に変更される。例えば、プリチャージ電位ＶPREを基準電位ＶREFに対して正極性の電位に設定した構成や、階調電位ＶGの極性（極性信号ＰOL）に応じてプリチャージ電位ＶPREを変化させる構成（垂直走査期間Ｖ1と垂直走査期間Ｖ2とでプリチャージ電位ＶPREが相違する構成）も採用され得る。
【００３０】
（２）変形例２  
以上の各形態では、各選択期間Ｈがプリチャージ期間ＴPREを含む構成（すなわち、走査線１２の選択でオン状態となった選択スイッチ４４を経由してプリチャージ電位ＶPREが画素電極４２１まで到達する構成）を例示したが、選択期間Ｈの開始前に各信号線１４にプリチャージ電位ＶPREを供給する構成（すなわち、プリチャージ期間ＴPREにて走査線１２を選択せず、プリチャージ電位ＶPREを画素電極４２１までは到達させない構成）も採用され得る。何れの構成においても信号線１４がプリチャージ電位ＶPREに初期化されるから、表示画像の階調斑は抑制される。
【００３１】
（３）変形例３  
各選択期間Ｈ内の書込期間ＴWRTにてスイッチ５８[1]〜５８[K]をオン状態に遷移させる順番を順次に変化させる構成も採用され得る。例えば特開２００４−４５９６７号公報に開示された構成が採用される。以上の構成では、時間長ｔaに設定される単位期間Ｕ[k]が、スイッチ５８[1]をオン状態に遷移させる単位期間Ｕ[1]に固定されずに随時に変更される。スイッチ５８[1]〜５８[K]の選択の順番に関わらず、書込期間ＴWRTのうちプリチャージ期間ＴPREの経過後の最初の単位期間Ｕ[k]を長い時間長ｔaに設定する構成が好適である。
【００３２】
（４）変形例４  
Ｎ本の信号線１４をＪ個の配線群Ｂ[1]〜Ｂ[J]に区分する構成は省略され得る。すなわち、以上の各形態における１個の配線群Ｂ[j]のみに着目した構成にも本発明は適用される。
【００３３】
（５）変形例５  
液晶素子４２は電気光学素子の例示に過ぎない。本発明に適用される電気光学素子について、自身が発光する自発光型と外光の透過率や反射率を変化させる非発光型（例えば液晶素子４２）との区別や、電流の供給によって駆動される電流駆動型と電界（電圧）の印加によって駆動される電圧駆動型との区別は不問である。例えば、有機ＥＬ素子，無機ＥＬ素子，ＬＥＤ（Light Emitting Diode），電界電子放出素子（ＦＥ（Field-Emission）素子），表面伝導型電子放出素子（ＳＥ（Surface conduction Electron emitter）素子），弾道電子放出素子（ＢＳ（Ballistic electron Emitting）素子），電気泳動素子、エレクトロクロミック素子など様々な電気光学素子を利用した電気光学装置１００に本発明は適用される。すなわち、電気光学素子は、電流の供給や電圧（電界）の印加といった電気的な作用に応じて階調（透過率や輝度などの光学的な特性）が変化する電気光学物質（例えば液晶４２５）を利用した被駆動素子（典型的には、階調信号に応じて階調が制御される表示素子）として包括される。
【００３４】
＜Ｄ：応用例＞
以上の各形態に例示した電気光学装置１００は、各種の電子機器に利用され得る。図６から図８には、電気光学装置１００を採用した電子機器の具体的な形態が例示されている。
【００３５】
図６は、電気光学装置１００を採用した可搬型のパーソナルコンピュータの斜視図である。パーソナルコンピュータ２０００は、各種の画像を表示する電気光学装置１００と、電源スイッチ２００１やキーボード２００２が設置された本体部２０１０とを具備する。
【００３６】
図７は、電気光学装置１００を適用した携帯電話機の斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。
【００３７】
図８は、電気光学装置１００を適用した投射型表示装置（３板式のプロジェクタ）４０００の模式図である。投射型表示装置４０００は、相異なる表示色（赤色，緑色，青色）に対応する３個の電気光学装置１００（１００R，１００G，１００B）を含んで構成される。照明光学系４００１は、照明装置（光源）４００２からの出射光のうち赤色成分ｒを電気光学装置１００Rに供給し、緑色成分ｇを電気光学装置１００Gに供給し、青色成分ｂを電気光学装置１００Bに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。
【００３８】
なお、本発明に係る電気光学装置が適用される電子機器としては、図６から図８に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【００３９】
１００……電気光学装置、１０……画素部、ＰIX……画素回路、１２……走査線、１４……信号線、１６……制御線、２０……駆動回路、２２……走査線駆動回路、２４……信号線駆動回路、３０……制御回路、４２……液晶素子、４４……選択スイッチ、５２……信号供給回路、５４……信号分配回路、５６[1]〜５６[J]……分配回路、５８[1]〜５８[K]……スイッチ、Ｂ[1]〜Ｂ[J]……配線群。
【図１】
0005552954.tif 000002
【図２】
0005552954.tif 000003
【図３】
0005552954.tif 000004
【図４】
0005552954.tif 000005
【図５】
0005552954.tif 000006
【図６】
0005552954.tif 000007
【図７】
0005552954.tif 000008
【図８】
0005552954.tif 000009